(57)【特許請求の範囲】
【請求項１】
ヘッド容積が２３０ｃｃ以上の金属製殻体構造のウッドクラブヘッドであって、正規のロフト角及びライ角で正常なアドレス姿勢を取ったクラブヘッドを平面視した際に、リーディングエッジからバックサイド端までの距離とされるヘッド幅（Ｗ）に対してフェース面の長さ（Ｌ）が小さな値に設定されると共に、バックサイドの幅（Ｂ）が前記フェース面の長さ（Ｌ）より小さな値とされ、更にフェース面にほぼ平行な方向のヘッド長さが最大となる位置からバックサイドに至る両サイド部分がヘッドの内方に窪む凹形状又は直線状の形状とされ、かつ、前記ヘッド長さが最大の値となる位置は、リーディングエッジからバックサイド方向への距離として、ヘッド幅（Ｗ）の１／２の長さよりも短い距離に設定されていることを特徴とするウッドクラブヘッド。
【請求項２】
前記フェース面の中央点でのフェース面に垂直となる線分に対して、前記中央点と前記バックサイドの幅（Ｂ）の中点とを結ぶ線分がホーゼル側に傾斜されていることを特徴とする請求項１に記載のウッドクラブヘッド。
【発明の詳細な説明】
【０００１】
【発明の属する技術分野】
ドライバーやフェアウエイウッドなどのウッドクラブのヘッド形状に関する。
【０００２】
【従来の技術】
ウッドクラブは、最近、そのヘッド容積が３００ｃｃ以上にも増大されて来ている。特に、一般的な技量のゴルフプレーヤーのミスショットを少なくするようにと打球面即ちフェース面の面積が大きくされる傾向にある。この結果、一般にフェース面の長さが長くなり、正常なアドレス姿勢において、このフェース面の長さ（Ｌ）が、リーディングエッジからバックサイド端までの距離とされるヘッド幅（Ｗ）と同等又はそれ以上に長く設定される程に成っている。
【０００３】
また、日本ゴルフ協会のゴルフ規則では、フェース面に平行な方向のヘッド長さの最大値（Ａ）が前記ヘッド幅（Ｗ）よりも大きな値に設定されねばならないことが規定されている。
【０００４】
【発明が解決しようとする課題】
このような事情から、打球時にヘッドをアドレス状態にしてこれを俯瞰した場合に、ヘッド形状がフェース面方向に長辺を持つ矩形状に見えてクラブ幅が短く感じるようになって、一般のプレーヤーがクラブをスイングする際にヘッドをターゲット方向に沿って後ろに真っ直ぐ引き難くなるという傾向を生じている。
その結果はスイング軌道が不安定となって、意図するフェース面の位置で球を捉えることが困難となり打ち損ないの原因となることが懸念される。
【０００５】
従って、上記の実情に鑑みて、本発明の目的とするところは、打球のためのスイングの際に、アドレス状態からクラブヘッドを後方に真っ直ぐ引き易く感じることが出来るウッドクラブヘッドを提供することである。
【０００６】
【課題を解決するための手段】
前記の課題を解決するために、本発明に係るウッドクラブヘッドは、請求項１に記載のように、ヘッド容積が２３０ｃｃ以上の金属製殻体構造のウッドクラブヘッドであって、正規のロフト角及びライ角で正常なアドレス姿勢を取ったクラブヘッドを平面視した際に、リーディングエッジからバックサイド端までの距離とされるヘッド幅（Ｗ）に対してフェース面の長さ（Ｌ）が小さな値に設定されると共に、バックサイドの幅（Ｂ）が前記フェース面の長さ（Ｌ）より小さな値とされ、更にフェース面にほぼ平行な方向のヘッド長さが最大となる位置からバックサイドに至る両サイド部分がヘッドの内方に窪む凹形状又は直線状の形状とされ、かつ、前記ヘッド長さが最大の値となる位置は、リーディングエッジからバックサイド方向への距離として、ヘッド幅（Ｗ）の１／２の長さよりも短い距離に設定されている。
【０００７】
従って、ヘッド容積が２３０ｃｃ以上の金属製殻体構造からなる大型のウッドクラブヘッドであっても、プレーヤーがアドレスでヘッドを俯瞰した場合にヘッドの形状をヘッドの幅方向に細長く感じることが出来て、クラブスイングに当たって、打球のターゲット方向に沿ってヘッドを後方に真っ直ぐに引き易くなり、スイング軌道が安定してヘッドをプレーヤーの身体に対して過度にアウトサイドやインサイドに引いたり、またスイングの度ごとにその軌跡が異なるようなことがなくなる。この結果、フェース面上での打点のバラツキが減少し、意図した位置で打球することが可能となって、正確なショットが出来ると共に打球の方向性が向上する。
【０００８】
また、前記請求項２に記載したように、前記フェース面の中央点でフェース面に垂直となる線分に対して、該フェース面の中央点と前記バックサイドの幅の中点とを結ぶ線分がホーゼル側に傾斜することによって、アドレス姿勢を取ったヘッドを俯瞰した場合に、ヘッドがプレーヤーのインサイド側に傾いているように感じることが出来て、スイングの開始に当たって、ヘッドをインサイド後方に引き易くなり所謂インサイド〜アウト軌道の理想的なスイングがし易くなり打球の方向性が向上すると共に飛距離の増大が期待できる。
【０００９】
【発明の実施の形態】
図１に基づいて、本発明に係わる一実施例について以下に説明する。
図１は、本実施例としてのドライバーウッドクラブを正規のロフト角及びライ角で正常なアドレス状態の姿勢とした際のヘッド１の平面図を示すものである。ヘッド１は、全体がチタニウム合金製の容積３００ｃｃの殻体構造とされてヘッド１のヒール２側には、シャフトが挿着されるホーゼル３が設けられている。
【００１０】
図１において、ヘッド１の全体的な形状は、フェース面４側が膨らみバックサイド５側が縮んだ洋梨型の形状とされている。
ヘッド１のフェース面４にほぼ平行となる方向の長さ即ちヘッド長さが最大の値（本実施例では、９５ｍｍ）となる位置は、フェース面４のリーディングエッジ６からバックサイド５側に３０ｍｍを取った位置とされていて、この位置よりバックサイド５に至るヘッド１の両方のサイド部分７がヘッド１の内方に窪む凹形状とされている。
尚、場合によっては、このサイド部分７の形状を、ヘッド１の平面図において直線状になるように形成することも出来る。
【００１１】
また、前記ヘッド長さが最大の値となる位置は、リーディングエッジ６からバックサイド５方向への距離として、ヘッド幅（Ｗ）の１／２の長さよりも短い距離に設定されるのが好ましい。一般には、リーディングエッジ６から５０ｍｍ以内に設定されるのが好ましい。
【００１２】
前記ヘッド長さの最大となる位置からフェース面４側の両サイド部分７｀は、それぞれフェース面４のトウ８側端及びヒール２側端に至るまで前記ヘッド長さが漸減する形状とされている。
【００１３】
リーディングエッジ６からバックサイド５端までの距離とされるヘッド幅（Ｗ）は９０ｍｍとされ、またフェース面４の長さ（Ｌ）は８０ｍｍとされて、前記ヘッド幅（Ｗ）に対してフェース面４の長さ（Ｌ）が短く設定されている。
また、バックサイド５の幅（Ｂ）は、本実施例の場合４５ｍｍとされて前記フェース面４の長さ（Ｌ）より小さな値とされている。フェース面４の長さの略１／２程度に設定されるのが好ましい。
【００１４】
更に、前記フェース面４の中央点ａでのフェース面に垂直となる線分ｌ１に対して、該フェース面の中央点ａと前記バックサイド５の幅の中点ｂとを結ぶ線分ｌ２がホーゼル側に３度傾斜されている。
従って、前記フェース面４に垂直となる線分ｌ１に対して、ヘッド１の両サイド部分７及び７｀部分が完全な対称形状とされていない。
尚、フェース面４に垂直となる線分ｌ１とフェース面の中央点ａと前記バックサイドの幅の中点ｂとを結ぶ線分ｌ２とが成す角度は、１〜６度の範囲に設定されるのが好ましい。この角度が大きく成り過ぎると、平面視したヘッド形状が前記フェース面に垂直となる線分ｌ１に対して極端に非対称となって違和感が生まれプレーヤーの感じの許容度を越える怖れが出てくるからである。
【００１５】
本実施例のウッドクラブヘッドでは、このように構成されているので、実際はヘッド１の最大の長さがクラブヘッドの幅より５ｍｍほど長いにも拘わらずヘッドが細長く感じられてバックスイングでヘッドを後方に真っ直ぐ引き易くスイング軌道が安定して、方向性の良い打撃が出来る。
また、前記フェース面の中央点ａと前記バックサイドの幅の中点ｂとを結ぶ線分ｌ２がホーゼル側に傾斜されたことで、アドレスの際に、ヘッド全体がホーゼル側に傾いた感じが生じ、ヘッドをインサイド後方に引き易くなって理想的なクラブスイング軌道が得られ易くなり打球の方向性と飛距離が向上する。
【００１６】
【発明の効果】
本発明に係わるウッドクラブヘッドでは、その容積がたとえ２３０ｃｃ以上の大型ヘッドであっても、プレーヤーがアドレスでヘッドを俯瞰した場合に、ヘッドの形状をヘッド幅の方向に細長く感じることが出来て、クラブスイングを後方に真っ直ぐ引き易くスイングが安定し打球の方向性が向上する。
又、ヘッドのバックサイド側をホーゼル側に若干傾斜させたことで、ヘッド全体がホーゼル側に傾いた感じが生まれ、ヘッドをインサイド後方に引き易くなって理想的なスイング軌道が得られ易く打球の方向性と飛距離が向上する。
【図面の簡単な説明】
【図１】本発明に係わる実施例のヘッドの平面図である。
【符号の説明】
１  ヘッド
２  ヒール
３  ホーゼル
４  フェース面
５  バックサイド
６  リーディングエッジ
７  ７’サイド部分
８  トウ
ａ  フェース面の中央点
ｂ  バックサイドの中点
ｌ１  フェース面に垂直となる線分
ｌ２  ａとｂを結ぶ線分
【図１】
0004260968.tif 000002